(57)【要約】【課題】移動観覧席に発生したエラーの原因を特定する共に、そのエラーに対して迅速、かつ確実に対応すること。【解決手段】各種のエラーを検出可能な移動観覧席であって、移動観覧席の設置時または収納時に発生する各種エラーを検知する場合、検知信号を出力する検知部と、移動観覧席の動作および信号処理の制御を司ると共に、検知部から入力される検知信号に基づいて、エラー信号を出力する制御部６１と、制御部６１から送信される各種のエラー信号に対応する情報を記憶するメモリ９２と、表示部を備え、当該表示部にエラー信号に基づいてエラー信号に対応する情報またはエラー信号に対応する他の内容の情報をメモリから読み出してメッセージとして表示させる表示手段と、メモリ９２から読み出されたエラー信号に対応する情報と、エラー信号に対応する他の内容の情報の間で表示部に表示させる情報を切り替えるための情報切替ボタンと、を有する遠隔操作装置４０とを具備する。【選択図】図８
2008138502.tif 000002
【特許請求の範囲】
【請求項１】
各種のエラーを検出可能な移動観覧席であって、
上記移動観覧席の設置時または収納時に発生する各種エラーを検知する場合、検知信号を出力する検知部と、
上記移動観覧席の動作および信号処理の制御を司ると共に、上記検知部から入力される上記検知信号に基づいて、各種のエラー信号を出力する制御部と、
上記制御部から送信される各種のエラー信号に対応する情報を記憶するメモリと、表示部を備え、当該表示部に上記エラー信号に基づいて、上記エラー信号に対応する情報または上記エラー信号に対応する他の内容の情報を上記メモリから読み出してメッセージとして表示させる表示手段と、上記メモリから読み出された上記エラー信号に対応する情報と、上記エラー信号に対応する他の内容の情報の間で上記表示部に表示させる情報を切り替えるための情報切替ボタンと、を有する遠隔操作装置と、
を具備することを特徴とする移動観覧席。
【請求項２】
前記遠隔操作装置は、前記移動観覧席に着脱可能に接続されると共に、前記移動観覧席の動作を操作するための操作部を備えることを特徴とする請求項１記載の移動観覧席。
【請求項３】
前記エラー信号に対応する情報は、エラーの内容およびその対処方法に関する情報を少なくとも含むことを特徴とする請求項１または２記載の移動観覧席。
【請求項４】
前記エラー信号は、各種エラー毎に割り当てられたエラー対応情報を含んで、前記制御部から前記遠隔操作装置に送信されることを特徴とする請求項１から３のいずれか１項記載の移動観覧席。
【請求項５】
前記メモリには、前記表示部に表示させる初期画面のための前記エラーの内容に関する情報と、当該初期画面から前記情報切替ボタンを押す場合に表示される前記エラーの対処方法に関する情報と、さらに前記情報切替ボタンを押す毎に表示される、より詳細な前記エラーの対処方法に関する情報もしくは前記エラーに関する他の情報と、が記憶されていることを特徴とする請求項１から４のいずれか１項記載の移動観覧席。
【請求項６】
前記メモリには、前記表示部に表示させる前記初期画面のため、前記エラーの内容に関する情報と、前記エラー対応情報と、が記憶されていることを特徴とする請求項５記載の移動観覧席。
【請求項７】
前記移動観覧席は、前記エラー対応情報を表示可能なコネクタ装置を備えており、前記遠隔操作装置は、当該コネクタ装置に着脱可能に接続されることを特徴とする請求項３から６のいずれか１項記載の移動観覧席。
【請求項８】
前記検知部によってエラーが検知されない場合、前記制御部は、非エラー信号を前記遠隔操作装置に向けて出力すると共に、
前記表示手段は、前記情報切替ボタンの操作に応じて、
上記非エラー信号に基づいて、前記移動観覧席が正常な状態である旨の情報と、
現在の状態に応じた操作上の注意に関する情報と、
より詳細な上記操作上の注意に関する情報もしくは上記状態に応じた他の操作上の注意に関する情報と、
操作方法に関する情報と、
のいずれかを前記表示部に表示させることを特徴とする請求項１記載の移動観覧席。
【請求項９】
前記制御部は、前記検知部がエラーを検知すると、前記移動観覧席の動作を停止させると共に、エラーが解消されない限り停止状態を維持することを特徴とする請求項１から８のいずれか１項記載の移動観覧席。
【請求項１０】
前記操作部には、前記移動観覧席の動作を操作する操作ボタンが設けられていて、前記移動観覧席の操作を行う際、前記遠隔操作装置に備えられた前記情報切替ボタンと上記操作ボタンとを含むボタンを予め決められた手順で操作する場合にのみ、前記移動観覧席を操作可能な状態とする操作許可手段を有すること特徴とする請求項２から９のいずれか１項記載の移動観覧席。
【請求項１１】
動作時に発生する各種エラーに対応したエラー信号と、これらエラーが検知されない場合に対応した非エラー信号とを生成する制御部を備えた移動観覧席の動作を遠隔操作するための遠隔操作装置であって、
上記制御部から送信される各種のエラー信号および非エラー信号に対応する情報を記憶するメモリと、
表示部を備え、当該表示部に上記エラー信号に基づいて、上記エラー信号に対応する情報または上記エラー信号に対応する他の内容の情報を上記メモリから読み出してメッセージとして表示させる表示手段と、
上記メモリから読み出された上記エラー信号に対応する情報と、上記エラー信号に対応する他の内容の情報の間で上記表示部に表示させる情報を切り替えるための情報切替ボタンと、
を具備し、
上記メモリから上記エラー信号が読み出される場合、上記表示手段は、上記エラー信号に対応する情報または上記エラー信号に対応する他の情報を上記表示部に表示させ、
上記メモリから上記非エラー信号が読み出される場合、上記表示手段は、上記情報切替ボタンの操作に応じて、
上記非エラー信号に基づいて、上記移動観覧席が正常な状態である旨の情報と、
現在の状態に応じた操作上の注意に関する情報と、
より詳細な上記操作上の注意に関する情報もしくは上記状態に応じた他の操作上の注意に関する情報と、
操作方法に関する情報と、
のいずれかを上記表示部に表示させることを特徴とする遠隔操作装置。
【発明の詳細な説明】
【技術分野】
【０００１】
本発明は、移動観覧席に関する。
【背景技術】
【０００２】
多目的ホールまたは体育館等の各種施設には、移動観覧席（ロールバックチェア−スタンドともいう。）が設置されるケースがある。この移動観覧席は、収納時にはホールの壁面内に縮小した状態で退避させられると共に、使用時にはホール等に伸長状態で展開させられる。このような移動観覧席は、設置位置または退避位置までエラーなく、かつスムーズに移動することが要求される。特許文献１には、制御装置によって蛇行修正することで、設置位置と退避位置との間を直線的に移動する移動観覧席が開示されている。
【０００３】
【特許文献１】特開２００３−１５５８２８号公報（要約書）
【発明の開示】
【発明が解決しようとする課題】
【０００４】
しかしながら、特許文献１に開示されている移動観覧席では、移動観覧席に何らかのエラーが発生した場合、エラーの原因またはその対処法を的確に把握することは困難である。その場合、メンテナンスを行う会社／部門に連絡をし、メンテナンス担当者が現地に赴いて、移動観覧席を正常な状態に修復する必要がある。また、メンテナンス担当者によってエラーを解消してもらう場合でも、エラーの原因を特定しなければならない場合が多く、その場合には、エラーを解消するのに手間と時間がかかるといった問題がある。
【０００５】
また、種々のエラーの中には、ユーザ自身が解決可能なものも少なくない。そのため、移動観覧席において、ユーザがエラーの種類を判別可能な構成を実現すれば、ユーザの便宜に一層供することが可能となる。
【０００６】
本発明は、かかる問題に鑑みてなされたものであり、その目的とするところは、移動観覧席に発生したエラーの原因を特定できると共に、そのエラーに対して迅速、かつ確実な対応を可能とする移動観覧席を提供しようとするものである。
【課題を解決するための手段】
【０００７】
上記課題を解決するために、本発明は、各種のエラーを検出可能な移動観覧席であって、移動観覧席の設置時または収納時に発生する各種エラーを検知する場合、検知信号を出力する検知部と、移動観覧席の動作および信号処理の制御を司ると共に、検知部から入力される検知信号に基づいて、各種のエラー信号を出力する制御部と、制御部から送信される各種のエラー信号に対応する情報を記憶するメモリと、表示部を備え、当該表示部にエラー信号に基づいて、エラー信号に対応する情報またはエラー信号に対応する他の内容の情報を上記メモリから読み出してメッセージとして表示させる表示手段と、メモリから読み出されたエラー信号に対応する情報と、エラー信号に対応する他の内容の情報の間で表示部に表示させる情報を切り替えるための情報切替ボタンと、を有する遠隔操作装置と、を具備するものである。
【０００８】
このように構成した場合には、移動観覧席に何らかのエラーが発生した場合、エラーに関する情報が表示部に表示されるため、エラーの内容および移動観覧席の動作状況等を知ることができる。そのため、表示された情報に基づいて迅速にエラーを解消することが可能となる。また、情報切替ボタンを押して情報の内容を切り替えることにより、発生したエラーに対する複数の情報を得ることができる。その結果、より迅速、かつ確実にエラーを解消することが可能となる。また、エラーに関する情報をメッセージとして取得することができるため、エラーの内容を確実に把握することができる。
【０００９】
また、他の発明は、上述の発明に加えて更に、遠隔操作装置は、移動観覧席に着脱可能に接続されると共に、移動観覧席の動作を操作するための操作部を備えるものである。このように構成した場合には、遠隔操作装置において、移動観覧席のエラーの発生状況を確認しながら、移動観覧席の設置または収納の操作を行うことが可能となる。また、遠隔操作装置は着脱可能であるため、移動観覧席の設置後および収納後には、遠隔操作装置を移動観覧席から外すことが可能となる。したがって、移動観覧席の設置時および収納時に遠隔操作装置がスペースを占有することがなくなる。
【００１０】
また、他の発明は、上述の発明に加えて更に、エラー信号に対応する情報は、エラーの内容およびその対処方法に関する情報を少なくとも含むである。このように構成した場合には、エラーの内容を把握できると共に、そのエラーに対する対処方法を知ることができる。そのため、移動観覧席のユーザ自身が発生したエラーに対して、迅速、かつ確実に対応することが可能となる。その結果、エラーを解消するための手間と時間を大幅に削減することが可能となる。
【００１１】
さらに、他の発明は、上述の発明に加えて更に、エラー信号は、各種エラー毎に割り当てられたエラー対応情報を含んで、制御部から遠隔操作装置に送信されるものである。このように構成した場合には、エラー対応情報を出力することにより、エラーの種類を容易な方法で表示することが可能となる。
【００１２】
さらに、他の発明は、メモリには、表示部に表示させる初期画面のためのエラーの内容に関する情報と、当該初期画面から情報切替ボタンを押す場合に表示されるエラーの対処方法に関する情報と、さらに情報切替ボタンを押す毎に表示される、より詳細なエラーの対処方法に関する情報もしくはエラーに関する他の情報とが記憶されているものである。
【００１３】
このように構成した場合には、ユーザは、情報切替ボタンを押す毎に、エラーの内容およびエラーの対処方法に関する情報を順次取得できる。そのため、取得した情報に従うことで、エラーを解消することができる。その結果、迅速、かつ確実にエラーを解消することが可能となる。
【００１４】
また、他の発明は、上述の発明に加えて更に、メモリには、表示部に表示させる初期画面のため、エラーの内容に関する情報と、エラー対応情報とが記憶されているものである。このように構成した場合には、各種エラー毎に割り当てられたエラー対応情報と、そのエラー対応情報に対するエラーの内容を同時に知ることができる。したがって、エラーの種類とその内容を確実に把握することができる。
【００１５】
また、他の発明は、上述の発明に加えて更に、移動観覧席は、エラー対応情報を表示可能なコネクタ装置を備えており、遠隔操作装置は、当該コネクタ装置に着脱可能に接続されるものである。このように構成した場合には、コネクタ装置にもエラー対応情報が表示されるため、コネクタ装置が配置される移動観覧席側においても、エラーの種類を認識することができる。また、遠隔操作装置は、コネクタ装置から外すことができるため、移動観覧席の展開時または収納時にスペースを占有することがなくなる。
【００１６】
また、他の発明は、上述の発明に加えて更に、検知部によってエラーが検知されない場合、制御部は、非エラー信号を遠隔操作装置に向けて出力すると共に、表示手段は、情報切替ボタンの操作に応じて、非エラー信号に基づいて、移動観覧席が正常な状態である旨の情報と、現在の状態に応じた操作上の注意に関する情報と、より詳細な上記操作上の注意に関する情報もしくは上記状態に応じた他の操作上の注意に関する情報と、操作方法に関する情報と、のいずれかを表示部に表示させるものである。
【００１７】
このように構成した場合には、移動観覧席にエラーが発生していないことを認識できると共に、現在の移動観覧席の状態を認識できる。また、移動観覧席の各種状態に応じた操作上の注意やその後の操作方法を知ることができため、ユーザは、移動観覧席の設置および収納を確実に行うことが可能となる。
【００１８】
また、他の発明は、上述の発明に加えて更に、制御部は、検知部がエラーを検知すると、移動観覧席の動作を停止させると共に、エラーが解消されない限り停止状態を維持するものである。このように構成した場合には、エラーが発生した状態で、移動観覧席が動作しないため、装置等が故障するのを防止できると共に、移動観覧席のユーザの安全を確保することが可能となる。
【００１９】
また、他の発明は、上述の発明に加えて更に、操作部には、移動観覧席の動作を操作する操作ボタンが設けられていて、移動観覧席の操作を行う際、遠隔操作装置に備えられた情報切替ボタンと操作ボタンとを含むボタンを予め決められた手順で操作する場合にのみ、移動観覧席を操作可能な状態とする操作許可手段を有するものである。このように構成した場合には、予め決められた操作手順を知っているものに限り、移動観覧席を操作することが許される。このため、ユーザもしくは施設管理者以外の者が無断でリモート操作を行うことを防止できる。その結果、いたずら等によって事故が発生するのを防止でき、操作上の安全性を確保することが可能となる。
【００２０】
また、本発明は、動作時に発生する各種エラーに対応したエラー信号と、これらエラーが検知されない場合に対応した非エラー信号とを生成する制御部を備えた移動観覧席の動作を遠隔操作するための遠隔操作装置であって、制御部から送信される各種のエラー信号および非エラー信号に対応する情報を記憶するメモリと、表示部を備え、当該表示部にエラー信号に基づいて、エラー信号に対応する情報またはエラー信号に対応する他の内容の情報をメモリから読み出してメッセージとして表示させる表示手段と、メモリから読み出されたエラー信号に対応する情報と、エラー信号に対応する他の内容の情報の間で表示部に表示させる情報を切り替えるための情報切替ボタンと、を具備し、メモリからエラー信号が読み出される場合、表示手段は、エラー信号に対応する情報またはエラー信号に対応する他の情報を表示部に表示させ、メモリから非エラー信号が読み出される場合、表示手段は、情報切替ボタンの操作に応じて、非エラー信号に基づいて、移動観覧席が正常な状態である旨の情報と、現在の状態に応じた操作上の注意に関する情報と、より詳細な操作上の注意に関する情報もしくは状態に応じた他の操作上の注意に関する情報と、操作方法に関する情報と、のいずれかを表示部に表示させるものである。
【００２１】
このように構成した場合には、移動観覧席に何らかのエラーが発生した場合、エラーに関する情報が遠隔操作装置の表示部に表示されるため、エラーの内容および移動観覧席の動作状況等を知ることができる。そのため、表示された情報に基づいて迅速にエラーを解消することが可能となる。また、情報切替ボタンを押して情報の内容を切り替えることにより、発生したエラーに対する複数の情報を得ることができる。その結果、より迅速、かつ確実にエラーを解消することが可能となる。また、エラーに関する情報をメッセージとして取得することができるため、エラーの内容を確実に把握することができる。また、エラーが発生していない場合、情報切替ボタンの操作に応じて、移動観覧席が正常な状態である旨の情報、現在の状態に応じた操作上の注意に関する情報、より詳細な操作上の注意に関する情報もしくは状態に応じた他の操作上の注意に関する情報、および操作方法に関する情報のいずれかを表示部に表示させることができるので、ユーザは遠隔操作装置を確実に操作することが可能となる。
【発明の効果】
【００２２】
本発明によると、移動観覧席に発生したエラーの原因を容易に特定できると共に、そのエラーに対して迅速、かつ確実に対応することが可能となる。
【発明を実施するための最良の形態】
【００２３】
以下、本発明の一実施の形態に係る移動観覧席１０について、図面を参照しながら説明する。なお、以下の説明において、図１〜図３、図７、図１１および図１２に示す矢示Ｘ１方向を前、矢示Ｘ２方向を後、矢示Ｙ１方向を左、矢示Ｙ２方向を右、矢示Ｚ１方向を上および矢示Ｚ２方向を下とそれぞれ規定する。
【００２４】
＜移動観覧席の全体構成＞
図１は、本発明の一実施の形態に係る移動観覧席１０の状態を説明するための側面図であり、（Ａ）は、移動観覧席１０を展開した状態を示し、（Ｂ）は、移動観覧席１０を収納した状態を示している。また、図２は、本発明の一実施の形態に係る移動観覧席１０の斜視図である。図３は、本発明の一実施の形態に係る移動観覧席１０の平面図である。
【００２５】
移動観覧席１０は、その全体が階段状に伸長する使用状態（図１（Ａ）に示す状態）と、その全体がコンパクトに収納される退避状態（図１（Ｂ）に示す状態）とを、切り替えることが可能となっている。図１および図３に示すように、移動観覧席１０は、その退避時に、壁面等の奥側に設けられた収納部１２の内部に収納されると共に、展開時には、当該収納部１２の前方に移動し、展開するように設置されている。移動観覧席１０の収納状態においては、床台２０が、自身より前方に位置する床台２０をその下方内部に順次収納される（図１（Ｂ）を参照）。なお、収納部１２における左右両側の壁面１２ａの前方には、退避した移動観覧席１０と壁面１２ａとの間の隙間を塞ぐための塞ぎ扉１４が設けられている（図３を参照）。塞ぎ扉１４は、移動観覧席１０の設置者（以下、ユーザと称呼する。）自らが開閉する構成となっている。
【００２６】
この移動観覧席１０は、高さの異なる複数列（図１では１０列）の床台２０と、各床台２０に横並びに多数設置される椅子２２とを備えている。各床台２０には、横並びの椅子２２の他に、手摺２４とが設けられ、その他、移動観覧席１０には、伸長状態では各床台２０を貫く通路２６が設けられている。
【００２７】
上述の椅子２２は、起立および転倒可能となっている。また、各床台２０の左右両脇には手摺２４が設けられている。このうち、後方４段分等の床台２０に設けられた手摺２４は着脱可能となっているが、その他の手摺２４も着脱可能に設けられていても良い。なお、図１等においては、床台２０は前後に渡って１０列設けられているが、床台２０の列数は、９列以下または１１列以上としても良い。また、各床台２０に設けられる椅子２２、および各床台２０を貫く通路２６の個数も幾つであっても良い。
【００２８】
各通路２６には、踏み台２８が設けられていて、隣り合う床台２０の間に存在する段差の落差の解消が図られている。この踏み台２８は、移動観覧席１０の伸長時には、一段上の床台２０から前方に延出するように設けられる。なお、最前列の踏み台２８（図２参照；以下、前方踏み台２８ａと称呼する。）は、最前列の床台２０の前端部を支点として回動可能し、その展開時には、ホール等の床面に支持される。また、前方踏み台２８ａを除く他の踏み台２８の裏側には、通路を照明するための通路灯２９が設けられている（図７参照）。また、最前列の床台２０の右前方には、後述するコネクタボックス３０が設けられていて、このコネクタボックス３０には、後述する遠隔操作装置４０が接続されている。
【００２９】
移動観覧席１０は、最前列の床台２０を本体駆動装置１６によって前後に駆動させられる。なお、本実施の形態では、収納部１２の上方には、椅子２３が配置されているが（図１（Ａ），（Ｂ）参照）、この椅子２３を設けないようにしても良い。
【００３０】
＜コネクタボックスの構成＞
図４は、図２中の一点鎖線Ａで囲んだ部分を拡大した図である。図４に示すように、コネクタボックス３０は略立方体の箱型形状を呈していて、その前面が前方側に露出する状態で取り付けられている。コネクタボックス３０の前面には、警告音停止ボタン３２と、表示部３４と、コネクタ部３６とが設けられている。これらのうち、警告音停止ボタン３２は、エラーの発生時に警告音が鳴った場合、その警告音を停止させるためのボタンである。また、表示部３４は、エラーの種類を番号として表示する部分である。具体的には、表示部３４には、エラーが発生した際、エラーの種類を表す「エラー番号」が２桁の数字として表示される。本実施に形態では、「エラー番号」は、エラー発生時に点滅して表示される。
【００３１】
また、コネクタ部３６には、その中央に差し込み孔３６ａが設けられており、当該差し込み孔３６ａに遠隔操作装置４０のプラグ５１を差し込むことにより、遠隔操作装置４０がコネクタボックス３０と接続される。
【００３２】
＜遠隔操作装置の構成＞
図５は、遠隔操作装置４０の平面図である。図６は、遠隔操作装置４０を構成するスイッチ本体４２の構成を示す図であり、（Ａ）は、その側面図であり、（Ｂ）は、その背面図である。
【００３３】
遠隔操作装置４０は、移動観覧席１０の動作を操作するための操作部の役割を果たすと共に、エラーメッセージを表示する表示部としての役割を果たす。遠隔操作装置４０は、スイッチ本体４２と、コード５０とから構成されている。スイッチ本体４２は、手で把持する把持部４３と、把持部４３より面積が大きい頭部４４とを有している。コード５０は、その一端側にプラグ５１が設けられており、その他端側にサブコネクタ５２が設けられている。プラグ５１は、コネクタ部３６の差し込み孔３６ａに差し込み可能となっており、サブコネクタ５２は、頭部４４の上端部に接続されている。
【００３４】
頭部４４の表側には、液晶表示部４５が設けられている。液晶表示部４５には、上述する各種のセンサで検知されたエラーに対応するエラー種類およびその対処方法等の情報が数字もしくは文字のメッセージとして表示される。液晶表示部４５の右下には、円形の点灯ランプ４５ａが設けられている。点灯ランプ４５ａは、通常は消灯しているものの、エラーが発生した際に点灯し、ユーザにエラー発生の注意を喚起している。なお、エラーが発生していない状態で、当該点灯ランプ４５ａを、例えば、緑色に点灯させ、エラーが発生した状態で、例えば、赤色に点灯させる等、点灯ランプ４５ａを正常時とエラー発生時とで異なる色に点灯させるようにしても良い。また、点灯ランプ４５ａは、エラー発生時に点滅するように構成しても良い。なお、点灯ランプ４５ａの位置は、液晶表示部４５の右下に限定されるものではなく、例えば、液晶表示部４５の左下等、他の位置に設けるようにしても良い。
【００３５】
点灯ランプ４５ａ下方には、液晶表示部４５に表示されるメッセージの内容を順次切り替えるための情報切替ボタン４６が設けられている。また、把持部４３の表側における略中央には、移動観覧席１０を停止させるための停止ボタン４７が設けられている。また、その上方には、移動観覧席１０を前進させるための前進ボタン４８が設けられると共に、その下方には、移動観覧席１０を退避させるための退避ボタン４９が設けられている。
【００３６】
図５、図６等に示すように、スイッチ本体４２の表面４２ａの外周には、側面４２ｂに連接するテーパ４２ｃが形成されている。また、図６に示すように、スイッチ本体４２の裏面４２ｄには、横方向に突き抜けるように、表側に向かって曲面状に窪む凹部４２ｅが形成されている。凹部４２ｅの存在により、ユーザがスイッチ本体４２を把持しやすくなり、その結果、操作性が向上する。なお、本実施の形態では、スイッチ本体４２の裏面４２ｄには凹部４２ｅが設けられていると共に、スイッチ本体４２の表面４２ａの外周には、テーパ４２ｃが設けられているが、凹部４２ｅとテーパ４２ｃのうち少なくとも一方を設けないようにしても良い。
【００３７】
＜制御部を中心とする制御構成＞
次に、移動観覧席１０のうち、制御部６１を中心とする制御構成について説明する。図７は、本発明の一実施の形態に係る制御構成が適用される移動観覧席１０の内部構造を示す模式図である。図８は、本発明の一実施の形態に係る制御構成のシステムの構成を示すブロック図である。
【００３８】
本実施の形態における制御構成では、移動観覧席１０の動作時にエラーが発生した場合、そのエラーに関する情報がコネクタボックス３０および遠隔操作装置４０にエラーメッセージとして表示される。図７に示すように、本実施の形態における制御構成は、制御盤６０と、検出部となる各種リミットスイッチと、各種作動装置を備えている。
【００３９】
制御盤６０は、各種リミットスイッチ等から入力される信号に基づいて、移動観覧席１０全体の動作を司る部分である。各種リミットスイッチは、移動観覧席１０に発生するエラーを検知する部分である。また、各種作動装置は、移動観覧席１０の展開および収納等の動作を司る部分である。本実施の形態では、各種作動装置として、椅子起立装置６４および本体駆動装置１６が設けられている。また、各種リミットスイッチとして、壁面リミットスイッチ６５、フロントパネルリミットスイッチ６６、手摺リミットスイッチ６８、ステップリミットスイッチ７０、塞ぎ扉リミットスイッチ７２、収納リミットスイッチ７４および展開リミットスイッチ７６が設けられている。
【００４０】
図７に示すように、制御盤６０は、移動観覧席１０の後方かつ中央に配置されている。制御盤６０は、図８に示すように、制御部６１と、漏電遮断器８０と、モータ配線用遮断器８２と、インバータ８４と、通路配線用遮断器８６とを有している。これらのうち、制御部６１は、異常に関する検出信号が入力された場合に、その検出信号に対応する部位の作動装置を停止させる指令を発する等の制御を行ったり、表示部３４および液晶表示部４５にエラーに対応する情報表示を表示させるための信号（エラー信号）を発する等の制御を行う部分である。なお、この制御部６１は、不図示のＣＰＵ、メモリ等を具備しており、このメモリには、各種のエラーに対応する情報（異常データ）が記憶されている。そして、制御部６１に入力される検出信号が、特定の異常に対応するとＣＰＵで判断されると、メモリに記憶されている異常データに関する信号（以下、これをエラー信号とする。）および動作状態に関する信号（以下、これを非エラー信号とする。）を、表示部３４等に送信する。なお、制御部６１のうち、エラー信号／非エラー信号を生成する部分を、信号生成部６１ａとする。
【００４１】
ここで、上述のエラー信号は、各種エラー毎に割り当てられるエラー対応情報を含んでいる。本実施の形態では、エラー対応情報として、エラーの種類を番号によって表示する「エラー番号」が使用されている。また、非エラー信号は、移動観覧席１０が正常な状態であることを番号として表示する「動作番号」を含んでいる。本実施の形態では、「エラー番号」および「動作番号」は２桁の数字として表示される。具体的には、「動作番号」の数字は、移動観覧席１０が正常な状態であることを表すために常に「００」に設定されている。
【００４２】
漏電遮断器８０は、通路灯２９以外の場所で漏電を検知した場合、その検知信号を制御部６１に送信する。また、モータ配線用遮断器８２は、後述する本体駆動モータ１６ａ、または起立用モータ６４ａの過負荷時における過電流を検出し、当該過電流が検出されると、これらモータ１６ａ，６４ａに対する電流の導通を遮断する。また、インバータ８４は、制御部６１の駆動指令に基づいて、本体駆動装置１６に供給する電力の制御を行う。また、通路配線用遮断器８６は、通路灯２９の漏電を検知すると、その漏電に関するエラー検出信号を制御部６１に送信する。通路配線用遮断器８６は、分電盤９０に配置される建物配線用遮断器９０ａと接続されている。建物配線用遮断器９０ａが通電している状態では、通路配線用遮断器８６には分電盤９０から電力が供給される。
【００４３】
また、図８には、分電盤９０が示されている。この分電盤９０は、移動観覧席１０が設置される建物に設けられており、その内部に配線用遮断器９０ａが設けられている。この分電盤９０は、通路配線用遮断器８６に電気的に接続されている。また、制御盤６０には、警告装置８８が取り付けられている。この警告装置８８は、エラーが発生した際に、警告音を鳴らすものである。また、制御盤６０には不図示のバッテリが内蔵されており、当該バッテリの残量の低下が検知された場合、その検知信号が制御部６１に送信される。
【００４４】
また、本実施の形態では、漏電遮断器８０、モータ配線用遮断器８２および通路配線用遮断器８６のうちのいずれかが動作していない場合にも、その旨の検知信号が制御部６１に送信される。
【００４５】
図７に示すように、移動観覧席１０には、本体駆動装置１６が配設されている。本体駆動装置１６は、本体駆動モータ１６ａを備えており、インバータ８４（図８参照）を介して制御部６１に接続されている。この本体駆動モータ１６ａは最前列の床台２０を前後に駆動させる。
【００４６】
図７、図８に示すように、椅子起立装置６４は、起立用モータ６４ａと、起立リミットスイッチ６４ｂと、省配線機器６４ｃを有している。各起立用モータ６４ａが駆動すると、各床台２０に存在する全ての椅子２２が同時に起立および転倒させられる。この起立用モータ６４ａは、モータ配線用遮断器８２に接続されている。また、起立用モータ６４ａが作動して、椅子２２を起立させる時間および転倒させる時間は、起立リミットスイッチ６４ｂからの信号に基づき、制御部６１でカウントされ、その時間が正常でない場合には、その旨の検出信号を制御部６１に送信する。起立リミットスイッチ６４ｂは、制御部６１に接続され、椅子２２の起立および転倒した旨の信号を検知する。そのため、椅子２２の起立時および転倒時に、起立リミットスイッチ６４ｂが作動しない場合、起立リミットスイッチ６４ｂに異常が発生した旨の検出信号が制御部６１に送信される。省配線機器６４ｃは、制御部６１に接続されている。省配線機器６４ｃは、椅子２２の起立動作および転倒動作の制御を分散させる。省配線機器６４ｃに異常が検出された場合も、その旨の検出信号が制御部６１に送信される。
【００４７】
図７に示すように、壁面リミットスイッチ６５は、最前列の床台２０の、例えば左側面に設けられている。壁面リミットスイッチ６５は、障害物等を検知した場合に信号を送信するセンサである。本実施の形態では、移動観覧席１０の展開時または収納時に、左側方に壁面等の障害物を検知した場合、その検知信号を制御部６１に送信する。
【００４８】
なお、かかる壁面リミットスイッチ６５と同様なスイッチとして、フロントパネルリミットスイッチ６６、手摺リミットスイッチ６８、ステップリミットスイッチ７０、塞ぎ扉リミットスイッチ７２、収納リミットスイッチ７４、展開リミットスイッチ７６等があり、いずれも異常を検知した場合に、その旨の検知信号を制御部６１に送信する。これらのうち、フロントパネルリミットスイッチ６６は、最前列の床台２０に複数個（例えば左右に４つ）配置されていて、移動観覧席１０を展開の際に前方に障害物が存在するか否かを検知する。また、手摺リミットスイッチ６８は、着脱用の手摺２４が嵌め込まれる場所に設置され、移動観覧席１０を収納する際に着脱用の手摺２４が外れているか否かを検知する。また、ステップリミットスイッチ７０は、置き式のステップが嵌め込まれる場所に設置され、移動観覧席１０を収納する際に、置き式のステップが外れているか否かを検知する。また、塞ぎ扉リミットスイッチ７２は、塞ぎ扉１４に設置され、移動観覧席１０を展開または収納する際に、塞ぎ扉１４が開かれているか否かを検知する。また、収納リミットスイッチ７４は、最後列の床台２０の後方に設置され、展開リミットスイッチ７６は、本体駆動装置１６の両側方に設置されている。収納リミットスイッチ７４および展開リミットスイッチ７６のそれぞれは、移動観覧席１０の収納状態および展開状態に異常が存在するか否かを検知する。
【００４９】
また、図８に示すように、コネクタボックス３０も、制御部６１に接続されていて、当該制御部６１との間で、信号の送受信を可能としている。このコネクタボックス３０は、移動観覧席１０に何らかのエラーが発生した場合、信号生成部６１ａによって生成された各種エラーに対応するエラー信号を受信する。コネクタボックス３０にエラー信号が入力されると、各種エラーに対応する、上述の「エラー番号」が、例えば、「０１」等のように、表示部３４に表示される。本実施の形態では、当該「エラー番号」は、表示部３４において点滅する状態で表示される。一方、エラーが発生していない状態では、コネクタボックス３０は非エラー信号を受信し、その場合、表示部３４には、「動作番号」である、例えば「００」が表示される。このとき、移動観覧席１０が正常な状態を維持しているが、数字「００」の表示は、表示部３４において、点滅せずに点灯した状態で表示される。
【００５０】
また、遠隔操作装置４０は、コネクタボックス３０を介して制御部６１に接続されている。そのため、エラー信号／非エラー信号は、遠隔操作装置４０にも入力される。遠隔操作装置４０は、エラー信号／非エラー信号に対応した文字情報が格納されたメモリ９２を備えている。なお、遠隔操作装置４０において、液晶表示部４５と、不図示のコントローラ部とで不図示の表示手段が構成されている。当該表示手段によって、遠隔操作装置４０に入力されたエラー信号／非エラー信号に対応した情報がメモリ９２から読み出され、その情報に基づくメッセージが液晶表示部４５に表示される。エラー信号が遠隔操作装置４０に入力されると、各種エラーに対応した「エラー番号」が出力される。
【００５１】
ここで、表示部３４に表示される「エラー番号」と、液晶表示部４５に表示される「エラー番号」は一致している。また、液晶表示部４５では、「エラー番号」に対応したエラーに関する情報を、メモリ９２に基づいて表示する。具体的には、液晶表示部４５には、エラーが生じた場合の初期画面として、「エラー番号」と、エラーの内容を表す「エラー内容」を示すエラーメッセージが表示される。この状態（初期画面の状態）で、情報切替ボタン４６を押すと、液晶表示部４５には、続いて、エラーに対する「対処方法」が表示される。表示される「対処方法」の画面数は、エラーの種類によって異なり、エラーの種類によっては「対処方法」が２画面以上続いて表示される場合がある。全ての「対処方法」が表示された後、さらに、情報切替ボタン４６を押すと、液晶表示部４５には、エラーに関する「注意事項」が表示される。さらに、情報切替ボタン４６を押すと、液晶表示部４５には、「緊急時連絡先」に関する電話番号が表示される。この状態で、さらに、情報切替ボタン４６を押すと、「エラー番号」と「エラー内容」が表示された初期画面に戻る。また、液晶表示部４５にエラーに関する情報（「エラー番号」、「エラー内容」および「対処方法」等）が表示されている状態では、点灯ランプ４５ａが点灯している。
【００５２】
また、遠隔操作装置４０に非エラー信号が入力される場合、液晶表示部４５には、「動作番号」に対応した移動観覧席１０の状態に関する文字情報が表示される。具体的には、正常動作状態の場合、液晶表示部４５には、エラーメッセージとして数字「００」が表示される。この状態で、情報切替ボタン４６を押すと、液晶表示部４５には、初期画面として、移動観覧席１０の「本体の状態」に関する内容が文字によって表示される。さらに、情報切替ボタン４６を押すと、液晶表示部４５には、１つ目の「操作上の注意事項」が表示される。さらに情報切替ボタン４６を押すと、２つ目の「操作上の注意事項」に切り替わる。表示される「操作上の注意事項」の画面数は移動観覧席１０の状態によって異なる。そのため、表示される状態によっては３つ以上の「操作上の注意事項」が表示される場合がある。さらに情報切替ボタン４６を押すと、操作方法に関する情報に切り替わる。そして、操作方法に関する情報が表示された後に情報切替ボタン４６を押すと、「本体の状態」が表示される初期画面に戻る。
【００５３】
＜移動観覧席の展開方法および収納方法＞
次に、移動観覧席１０の展開方法および収納方法について簡単に説明する。まず、塞ぎ扉１４を開くと共に、遠隔操作装置４０のプラグ５１をコネクタボックス３０の差し込み孔３６ａに差し込む。そして、ユーザが、前進ボタン４８を押す。すると、本体駆動装置１６が正方向に回転し、移動観覧席１０は、最前列の床台２０から順次前方に向かって展開する。このとき、ユーザは、最前列の床台２０の移動と共に、展開位置まで歩いてゆく。移動観覧席１０の展開が完了したら、再度前進ボタン４８を押す。すると、椅子２２が起立させられる。また、後ろ４列等の手摺２４は嵌め込み式であるため、その嵌め込み作業を行う。
【００５４】
移動観覧席１０の収納時は、大まかには設置時と逆となる。まず、後ろ４列分等の手摺２４を取り外す。次に、スイッチ本体４２の退避ボタン４９を押し、椅子２２を転倒させる。再度、退避ボタン４９を押し、本体駆動装置１６を逆回転させ、移動観覧席１０の床台２０を最前列から順に退避させてゆく。移動観覧席１０が収納部１２に収まったことを収納リミットスイッチ７４が検知すると、以後の移動は停止させられ、プラグ５１を差し込み孔３６ａから引き抜き、塞ぎ扉１４を閉める。
【００５５】
＜遠隔操作装置の表示に関して＞
次に、移動観覧席１０の動作に伴う遠隔操作装置４０の表示態様について説明する。図９は、移動観覧席１０が正常に動作している場合、情報切替ボタン４６の切り替えに応じて液晶表示部４５に表示されるメッセージの一例を示すフローチャートである。図１０は、移動観覧席１０にエラーが発生した場合、情報切替ボタン４６の切り替えに応じて液晶表示部４５に表示されるメッセージの一例を示すフローチャートである。
【００５６】
上述したような、移動観覧席１０の展開動作を開始させる場合であって、エラーが検出されない状況下では、コネクタボックス３０の表示部３４および遠隔操作装置４０の液晶表示部４５にエラーメッセージとして「００」が表示される。この状態で、ユーザが前進ボタン４８を押すと、本体駆動装置１６が駆動し、移動観覧席１０が前方に向かって移動する。その状態で、情報切替ボタン４６を押すと、図９に示すように、液晶表示部４５には、「本体は、展開または収納途中にあります」と、本体の状態に関するメッセージが表示される（ＳＣ１０１）。この状態から、ユーザが情報切替ボタン４６を順次押すと、液晶表示部４５には、「動作中は、そばを離れず、遠隔操作装置４０を手に持ち、常に監視していてください」（ＳＣ１０２）、「収納する場合、操作する側と反対側は死角になりますので十分注意してください」（ＳＣ１０３）、「動作中は、本体の内部には、絶対に立ち入らないで下さい」（ＳＣ１０４）、「お問い合わせ等は、弊社支点，営業所または緊急時連絡先までご連絡ください」（ＳＣ１０５）、「緊急時連絡先：○○○−△△△−××××」（ＳＣ１０６）の各メッセージが順次表示される。さらに、情報切替ボタン４６を押すと、液晶表示部４５には、ＳＣ１０１のメッセージが表示される。
【００５７】
移動観覧席１０の展開の際に、左右の本体駆動装置１６に所定以上の回転数の差が生じ、移動観覧席１０が蛇行すると、展開リミットスイッチ７６から検知信号が制御部６１に送信される。すると、警告装置８８から警告音が鳴り始めると共に、移動観覧席１０の展開動作が停止させられる。また、制御部６１からコネクタボックス３０および遠隔操作装置４０に、エラー信号が送信される。すると、表示部３４にはエラーメッセージとして、左右の本体駆動装置１６における回転数の異常に対応する「エラー番号」である「０５」が点滅して表示される。
【００５８】
そして、図１０に示すように、液晶表示部４５には、本体駆動装置１６の異常に関する「エラー番号とその内容」が表示される。具体的には、上段に「エラー番号」として「０５」が表示され、下段に「エラー内容」として「本体駆動装置に異常が発生しました」と表示される（ＳＣ２０１）。その後、ユーザが情報切替ボタン４６を押すと、図１０に示したのと同様に、エラーメッセージの内容が切り替わる。具体的には、「コネクタボックスの警告音停止ボタンを押して、警告音を止めてください」（ＳＣ２０２）、「弊社  緊急連絡先までご連絡ください」（ＳＣ２０３）、「緊急時連絡先：○○○−△△△−××××」（ＳＣ２０４）の各メッセージが順次表示される。さらに、情報切替ボタン４６を押すと、液晶表示部４５には、ＳＣ２０１のメッセージが表示される。なお、エラーが解消されると、表示部３４には、エラーメッセージとして「００」が表示される。
【００５９】
また、移動観覧席１０の展開時に、最前列の床台２０が障害物に当接すると、フロントパネルリミットスイッチ６６が作動し、その検知信号が制御部６１に送信される。すると、警告装置８８から警告音が鳴り始めると共に、移動観覧席１０の展開動作が停止させられる。このとき、表示部３４には、障害物の存在に対応する「エラー番号」である「１０」が点滅して表示される。そして、図１０に示す場合と同様に、液晶表示部４５には、障害物の存在に対応する「エラー番号とその内容」に関するエラーメッセージが、情報切替ボタン４６の押下順に従い順次表示される。なお、その詳細についての説明は、メッセージ表示の内容が若干異なるのみであるため省略する。
【００６０】
なお、エラーの発生がなく、移動観覧席１０の展開動作が完了した状態で、情報切替ボタン４６を押すと、液晶表示部４５には、まず「本体は、展開完了しました」と、本体の状態に関するメッセージが表示される。この状態で、さらに情報切替ボタン４６を押下すると、押下順に従い、各メッセージが順次表示される。なお、その詳細についての説明は、図９等とメッセージ表示の内容が若干異なるのみであるため省略する。
【００６１】
また、移動観覧席１０の退避動作に関しても、基本的には、上述の展開動作と類似しており、若干の動作が逆となるのみである。例えば、退避動作の途中に情報切替ボタン４６を押す場合、図９に示すのと同様のメッセージが表示される。しかしながら、着脱用の手摺２４もしくは置き式ステップ（不図示）が取り外されていない場合、手摺リミットスイッチ６８もしくはステップリミットスイッチ７０からの検知信号により、制御部６１は、全体の移動を停止させる旨の指令を発し、この点で若干の相違がある。なお、この指令と共に、制御部６１は、上述の検知信号に対応するエラー信号をコネクタボックス３０および遠隔操作装置４０に送信する。なお、この詳細についての説明は、図９等とメッセージ表示の内容が若干異なるのみであるため省略する。
【００６２】
また、退避動作が完了した場合のメッセージも、展開動作とは若干異なっている。退避動作の完了時に情報切替ボタン４６を押すと、図９に示す場合と同様に、液晶表示部４５には、「本体は収納完了しました」と、本体の状態に関するメッセージが表示される。なお、その詳細についての説明は省略する。
【００６３】
また、上述以外のエラーメッセージとしては、以下のものがある。具体的には、移動観覧席１０の動作中に漏電遮断器８０が漏電を検知した場合（「エラー番号」の「０１」に対応）がある。さらには、移動観覧席１０の動作中に、本体駆動装置１６の駆動制御において異常を検知した場合（「エラー番号」の「０６」に対応）、移動観覧席１０の動作中に、制御盤６０に内蔵されているバッテリの残量の低下が検知された場合（「エラー番号」の「０７」に対応）、移動観覧席１０の動作中に、壁面リミットスイッチ６５が障害物等を検知した場合（「エラー番号」の「０８」に対応）がある。
【００６４】
さらには、移動観覧席１０の動作中に、インバータ８４の警報信号の入力において異常が検知された場合（「エラー番号」の「０９」に対応）、移動観覧席１０の動作中に、漏電遮断器８０、モータ配線用遮断器８２のうちのいずれかが動作していない旨が検知された場合（「エラー番号」の「１２」に対応）、移動観覧席１０の動作中に、塞ぎ扉リミットスイッチ７２が塞ぎ扉１４が塞がった旨を検知した場合（「エラー番号」の「１７」に対応）がある。さらには、移動観覧席１０の動作中に、通路灯２９が電力を受電していない旨を検知した場合（「エラー番号」の「２０」に対応）、移動観覧席１０の動作中に、通路配線用遮断器８６が通路灯２９において漏電を検知した場合（「エラー番号」の「２７」に対応）、移動観覧席１０の動作中に、収納リミットスイッチ７４もしくは展開リミットスイッチ７６が、移動観覧席１０の収納状態および展開状態に異常がある旨を検知した場合（「エラー番号」の「２９」に対応）、移動観覧席１０の動作中に省配線機器６４ｃにおいて異常が検知された場合（「エラー番号」の「３５」に対応）がある。
【００６５】
なお、上述に示したエラーメッセージの種類は、ほんの一例であり、これらのエラーメッセージに限定されず、他のエラーに対するエラーメッセージを液晶表示部４５に表示するようにしても良い。また、エラーメッセージ以外にも、本体の状態および操作上の注意事項に関して表示される。例えば、移動観覧席１０を展開する前の収納状態にある場合、収納状態を示す旨のメッセージが表示される。また、移動観覧席１０が展開完了した状態、椅子２２が起立もしくは転倒している状態で、情報切替ボタン４６を押すと、液晶表示部４５には、その旨のメッセージが表示される。また、椅子２２が起立もしくは転倒途中の状態で情報切替ボタン４６を押すと、液晶表示部４５には、その旨のメッセージが表示される。これら本体の状態および操作上の注意事項の例も、これらには限定されず、他の本体の状態および操作上の注意事項を液晶表示部４５に表示するようにしても良い。
【００６６】
＜本発明を適用した場合における効果＞
以上のように構成された移動観覧席１０では、移動観覧席１０に何らかのエラーが発生した場合、エラーに関するメッセージが液晶表示部４５に表示されるため、エラーの内容やその対処方法等を知ることができる。そのため、表示されたメッセージに基づいて対処することで、迅速にエラーを解消することが可能となる。また、情報切替ボタン４６を押してメッセージの内容を切り替えることにより、発生したエラーに対する複数の情報を得ることができる。その結果、より迅速、かつ確実にエラーを解消することが可能となる。また、エラーに関するメッセージを文字情報として取得することができるため、エラーの内容を確実に把握することができる。
【００６７】
また、遠隔操作装置４０においては、エラーに関するメッセージは、初期画面として「エラー番号とその内容」が表示され、情報切替ボタン４６を押す毎に、その内容が「対処方法」、「注意事項」および「弊社連絡先」と順次切り替わり、最後に初期画面である「エラー番号とその内容」に戻る。したがって、ユーザは、情報切替ボタン４６を押す毎に、「エラーの内容」およびエラーへの「対処方法」等に関する情報を順次取得できる。そのため、取得したメッセージに従いながら、移動観覧席１０のユーザ自身が発生したエラーに対して順次対処することが可能となる。その結果、迅速、かつ確実にエラーを解消することができると共に、エラーを解消するための手間と時間を大幅に削減することが可能となる。
【００６８】
また、制御部６１から送信されるエラー信号は、各種エラーに対応する「エラー番号」に関する情報を含んでいるため、各種エラーを文字としてのメッセージで表示できると共に、番号としても表示することができる。そのため、エラーの種類を容易に認識することが可能となる。また、液晶表示部の初期画面には、「エラー番号」と「エラーの内容」に関するメッセージが表示されるため、エラーに対応した「エラー番号」と、その「エラー番号」に対応した「エラーの内容」を同時に知ることができる。したがって、エラーの種類とその内容を容易に、かつ確実に取得することができる。
【００６９】
また、コネクタボックス３０の表示部３４にも「エラー番号」が表示される。したがって、コネクタボックス３０が配置される移動観覧席側においても、エラーの種類を認識することができる。
【００７０】
また、表示部３４に表示される「エラー番号」のうち、エラーに関する「エラー番号」は点滅して表示される。このため、ユーザに対して、エラーの発生を注意喚起させることが可能となり、エラー発生の認識率を向上させることが可能となり、エラーに気付くまでの時間の短縮化を図ることが可能となる。
【００７１】
また、遠隔操作装置４０においても、エラー発生時には、点灯ランプ４５ａが点灯する。このため、遠隔操作装置４０においても、エラーの発生を注意喚起させることが可能となる。また、エラー発生の認識率を向上させることが可能となり、エラーに気付くまでの時間の短縮化を図ることが可能となる。また、本実施の形態では、スイッチ本体４２の裏側には、凹部４２ｅが形成されているため、スイッチ本体４２を手で把持しやし易くなると共に、スイッチ本体４２の操作もし易くなる。また、遠隔操作装置４０は、移動観覧席１０の動作を操作するための前進ボタン４８、停止ボタン４７および退避ボタン４９を備えている。したがって、遠隔操作装置４０において、発生したエラーへの対処および移動観覧席１０の設置を同時に行うことが可能となる。
【００７２】
また、遠隔操作装置４０は、「エラー番号」に対応する各種エラーに関する情報が格納されたメモリ９２を備えている。したがって、遠隔操作装置４０にエラー信号が入力すると当該エラー信号に対応したエラーに関するメッセージが液晶表示部４５に表示される。したがって、メモリ９２に格納されている情報を変更することによって、液晶表示部４５に表示されるメッセージの内容を容易に変更することが可能となると共に、遠隔操作装置４０側において、各種エラーに応じた情報の量や内容を変更することが可能となる。
【００７３】
また、各種のリミットスイッチ等の検知部によってエラーが検知されない場合、表示部３４および液晶表示部４５には移動観覧席が正常である旨を表す「エラー番号」である「００」が表示される。したがって、移動観覧席１０にエラーが発生していない場合、その旨を認識できる。また、移動観覧席１０にエラーが発生していない場合、液晶表示部４５には、初期画面として、「本体の状態」が表示され、情報切替ボタン４６を押す毎に、メッセージの内容は「操作上の注意事項」に順次切り替わる。したがって、移動観覧席１０の状態およびその状態おける注意事項を取得できる。
【００７４】
また、リミットスイッチ等の検知部がエラーを検知すると、移動観覧席１０の動作は停止し、そのエラーが解消されない限り停止状態が維持される。したがって、エラーが発生した状態では、移動観覧席１０が動作しないため、エラーが発生した装置等が故障するのを防止できると共に、移動観覧席１０のユーザの安全を確保することが可能となる。
【００７５】
＜変形例＞
以上、本発明の一実施の形態について説明したが、本発明は上述の形態に限定されることなく、種々変形した形態にて実施可能である。
【００７６】
上述の実施の形態では、遠隔操作装置４０の液晶表示部４５には、文字情報としてのメッセージのみが表示されているが、文字情報のメッセージに限定されるものではなく、例えば、移動観覧席１０にスピーカを設け、液晶表示部４５に表示されるメッセージを、遠隔操作装置４０の操作に連動させて音声にて案内するような構成を採用しても良い。
【００７７】
また、上述の実施の形態では、コネクタボックス３０に表示されるエラーメッセージは点滅するようになっているが、点滅させないようにしても良い。また、遠隔操作装置４０は、コネクタボックス３０に有線で接続される構成となっているが、遠隔操作装置４０は、無線で遠隔操作できるような構成としても良い。
【００７８】
また、上述の実施の形態では、本発明は、屋内の後方に収納される階段状の移動観覧席１０に適用されているが、図１１に示すように、移動観覧席１０の前方に、収納部９３に収納可能な平床式の移動観覧席９４を設け、本発明を平床式の移動観覧席９４と併用するようにしても良い。この際、遠隔操作装置４０は、移動観覧席９４にも接続可能となっており、移動観覧席９４に発生したエラーは液晶表示部４５に表示される。
【００７９】
また、上述の実施の形態では、移動観覧席１０の展開および退避移動を確実にするためのガイドローラが設けられていないが、図１２に示すように、床９５に一直線上に複数の円盤状の形態を有するガイドローラ９６を埋設させると共に、移動観覧席１０の裏側にガイドローラ９６をガイドするガイドレール９７を設け、移動観覧席１０の展開および退避動作をガイドローラ９６によって案内させるようにしても良い。そして、当該ガイドローラ９６とガイドレール９７との間にエラーが発生した場合、エラーメッセージを表示させるようにしても良い。
【００８０】
また、上述の実施の形態では、遠隔操作装置４０をコネクタボックス３０に接続すると、操作用の初期画面が表示されるが、遠隔操作装置４０をコネクタボックス３０に接続した後、遠隔操作装置４０において所定の操作を行わなければ、操作用の初期画面に切り替わらないような操作許可手段を付与しても良い。例えば、遠隔操作装置４０を接続後、情報切替ボタン４６および操作ボタンを構成する停止ボタン４７、前進ボタン４８、後退ボタン４９のうち前進ボタン４８、情報切替ボタン４６、退避ボタン４９を順次この手順で押さないと、操作用の初期画面に切り替わらないようにすること等が可能である。なお、情報切替ボタン４６、停止ボタン４７、前進ボタン４８、後退ボタン４９以外にも操作許可手段として用いられるボタンを設けるようにしても良い。また、操作の手順はユーザ自身が自由に設定できるようにしても良い。このような操作許可手段を付与することにより、ユーザもしくは施設管理者以外の者が無断でリモート操作を行うことを防止できる。その結果、いたずら等によって事故が発生するのを防止でき、操作上の安全性を確保することが可能となる。
【００８１】
また、上述の実施の形態では、エラーが発生した際にエラーの内容およびその対処方法を表示しているが、これに加えて、所定のエラーが発生する前に、その作動を続けるとエラーを引き起こしてしまう旨を知らせる機能を付与しても良い。例えば、移動観覧席１０本体の左右の本体駆動装置１６に所定以上の回転数の差が生じた場合、エラー番号「０５」が点滅すると共に移動観覧席１０が停止する前に、点灯ランプ４５ａを点灯状態にして警告を促すようにすること等が可能である。このような機能を付与することにより、エラーが発生する前の段階において、移動観覧席１０本体の作動状態が安定状態にないことをユーザに知らせることができる。その結果、エラーが発生するのをその前段階において防止でき、安全性の向上を図ることが可能となる。
【００８２】
また、上述の実施の形態では、液晶表示部４５にはエラーメッセージおよび操作案内に関する情報が表示されるが、液晶表示部４５に表示される情報は、これらの内容に限定されるものではなく、例えば、操作履歴、エラー履歴等のユーザが利用される際に必要とされる他の情報を表示させるようにしても良い。
【００８３】
また、上述の実施の形態では、情報切替ボタン４６は１つの場合を例示しているが、情報切替ボタン４６の数は１つに限定されるものではなく、２つ以上設けるようにしても良い。情報切替ボタン４６を２つ以上設けることで、エラー対応に関する情報、操作上の注意に関する情報もしくは操作方法に関する情報を迅速かつ簡便に表示させることが可能となる。
【産業上の利用可能性】
【００８４】
本発明の移動観覧席の安全装置は、屋内または屋外に設置される移動観覧席において利用することができる。
【図面の簡単な説明】
【００８５】
【図１】本発明の一実施の形態に係る移動観覧席の状態を説明するための側面図であり、（Ａ）は、移動観覧席を展開した状態を示し、（Ｂ）は、移動観覧席を収納した状態を示している。
【図２】本発明の一実施の形態に係る移動観覧席の斜視図である。
【図３】本発明の一実施の形態に係る移動観覧席の平面図である。
【図４】図２中の一点鎖線Ａで囲んだ部分を拡大した図である。
【図５】図４中の遠隔操作装置の平面図である。
【図６】図５中の遠隔操作装置を構成するスイッチ本体の構成を示す図であり、（Ａ）は、その側面図であり、（Ｂ）は、その背面図である。
【図７】本発明の一実施の形態に係る制御構成が適用される移動観覧席の内部構造を示す模式図である。
【図８】本発明の一実施の形態に係る制御構成のシステムの構成を示すブロック図である。
【図９】本発明の一実施の形態に係る移動観覧席が正常に動作している場合、情報切替ボタンの切り替えに応じて液晶表示部に表示されるメッセージの一例を示すフローチャートである。
【図１０】本発明の一実施の形態に係る移動観覧席にエラーが発生した場合、情報切替ボタンの切り替えに応じて液晶表示部に表示されるメッセージの一例を示すフローチャートである。
【図１１】本発明の変形例を示す図であり、本発明の一実施の形態に係る移動観覧席の前方に平床式の移動観覧席を配置した状態を示す側面図である。
【図１２】本発明の変形例を示す図であり、本発明の一実施の形態に係る移動観覧席と併用されるガイドローラの構成を示す図である。
【符号の説明】
【００８６】
１０…移動観覧席
３０…コネクタボックス（コネクタ装置）
４０…遠隔操作装置
４５…表示部（液晶表示部、表示手段の一部）
４６…情報切替ボタン
４７…停止ボタン（操作部の一部、操作ボタンの一部）
４８…前進ボタン（操作部の一部、操作ボタンの一部）
４９…退避ボタン（操作部の一部、操作ボタンの一部）
６１…制御部
９２…メモリ
【図１】
2008138502.tif 000003
【図２】
2008138502.tif 000004
【図３】
2008138502.tif 000005
【図４】
2008138502.tif 000006
【図５】
2008138502.tif 000007
【図６】
2008138502.tif 000008
【図７】
2008138502.tif 000009
【図８】
2008138502.tif 000010
【図９】
2008138502.tif 000011
【図１０】
2008138502.tif 000012
【図１１】
2008138502.tif 000013
【図１２】
2008138502.tif 000014